(57)【要約】【課題】エレキギターの音色を簡単且つ安価に変更できるようにする。【解決手段】ネック部２１とボディ部２３を一体的に形成し、ボディ部２３のくり抜き２４にピックアップ２６を有するピックアップ支持台２７を昇降自在に設け、ピックアップ２６の周囲にピックガード２８を着脱自在に取付け、ピックガード２８は異なる音色を発生させる各種の材料で形成されたものを複数枚用意し、演奏時ピックガード２８の任意の一枚をピックアップの周囲に装着する。【選択図】  図１
2009222843.tif 000002
【特許請求の範囲】
【請求項１】
上側に弦の一端が取付けられたネック部と、
前記ネック部が一体的に設けられ下側に前記弦の他端が取付けられたボディ部と、
前記ボディ部のくり抜きに昇降自在に設けられ、且つピックアップを有するピックアップ支持台及び前記ピックアップの周囲に着脱自在に設けられたピックガードとによりなるピックアップユニットとを備え、
前記ピックガードは異なる音色を発生させる各種の材料で形成されたものを複数枚用意し、演奏時前記ピックガードの任意の一枚をピックアップユニットに装着することを特徴とするエレキギター。
【請求項２】
前記ピックアップとピックガード間にスペーサを設け、演奏状態で前記ピックアップがピックガードに包囲されたとき、前記スペーサを介して前記ピックガードの振動がピックアップに伝達されるようにしたことを特徴とする請求項１記載のエレキギター。
【請求項３】
前記ピックガードは樹脂系又は金属系或いは木材系のいずれか又は組み合わされた材料で形成されたことを特徴とする請求項１記載のエレキギター。
【請求項４】
上側に弦の一端が取付けられたネック部と、
前記ネック部が一体的に設けられ下側に前記弦の他端が取付けられたボディ部と、
前記ボディ部のくり抜きに設けられ、ピックアップ昇降用カムにて昇降自在にされた支持台、前記ピックアップ支持台に取付けられたピックアップ及び前記ピックアップが突出される窓を有し且つ着脱自在に設けられたピックガードとよりなるピックアップユニットとを備え、
前記ピックガードは異なる音色を発生させる各種の材料で形成されたものを複数枚用意し、演奏時前記ピックガードの任意の一枚をピックアップユニットに装着することを特徴とするエレキギター。
【請求項５】
前記ピックアップとピックガード間にスペーサを設け、演奏状態で前記ピックアップがピックガードの窓から突出されたとき、前記スペーサを介して前記ピックガードの振動がピックアップに伝達されるようにしたことを特徴とする請求項４記載のエレキギター。
【請求項６】
前記ピックガードは樹脂系又は金属系或いは木材系のいずれかの材料で形成されたことを特徴とする請求項４記載のエレキギター。
【発明の詳細な説明】
【技術分野】
【０００１】
本発明は、ピックガードの材料を変更することにより同じエレキギターで音色を変化させることができるようにしたエレキギターに関する。
【背景技術】
【０００２】
現在、様々な幅広いジャンルの音楽で使用されている楽器にエレキギターがある。この楽器の本体には主に木材が使用されており、その材料の違いで多様な音質への影響があることが確認され、楽器の価格にも影響している。これは弦の振動の影響を受けた材料の振動がピックアップコイルに影響を及ぼし、音色に変化を与えているためであると思われる。この時、ピックアップコイルを不動と考えるならこれら振動の影響は弦の細かな振動に影響し、その弦の振動をピックアップが検出すると考えられる。
【０００３】
しかし、実際にはピックアップを取付けている支持部も振動しており、その影響がピックアップに伝達されることは否めない。こうした音色の差異は各楽器の特徴を表し、演奏する曲のニュアンスに合う音色のギターを曲ごとに選ぶことも必要になる。そこで曲に合わせてギターを変えるのではなく簡単なパーツを取り変えることで音質を大きく変えることができると便利である。
【０００４】
従来、エレキギターの出力に対し、エフェクターを通して電気的にリバーブやディストレーションを掛けることは行われていたが、エレキギター自体の音色を変更することはできない。
【０００５】
また、ピックアップを交換してエレキギターの音色を変更することが特開２００４−１６３７１７号公報に記載されている。
【０００６】
即ち、図２３に示すように、ボディ１を弦２と平行するように２分割し、分割した端面から弦張設方向と直交するように弦張設箇所に向けて上面を開口した凹陥部８を形成し、該凹陥部８の上縁内周部にはピックアップを取付けたスライドプレート６と密に摺動自在に嵌合する案内溝９が設けられ、スライドプレート６の前端部下面にはピックアップ５から引出された配線を止着した導電板が設けられ、前記案内溝９に導電板と接触可能な最終的にアンプに接続される接続端子１０、１０が設けられている。
【０００７】
ピックアップ５を交換する場合には、スライドベース６を含むピックアップユニット全体を交換するものとして、このようなユニットを多種類準備することが記載されている。
【特許文献１】特開２００４−１６３７１７号公報
【発明の開示】
【発明が解決しようとする課題】
【０００８】
前述したエレキギターの出力に対し、エフェクターを通して電気的にリバーブやディストレーションを掛けることは本質的にエレキギターの音色を変更することができないし、雑音の重畳により音質劣化にもつながる。
【０００９】
またピックアップを交換してエレキギターの音色を変更することは高価なピックアップを多数用意する必要があり、また交換時にアンプからノイズを発生するので、演奏の途中で音色を変更するためにピックアップを交換することができない。
【００１０】
更に、この手法では、雑音成分を低減して音のメリハリを出すとか、全体の周波数特性を変えるとか、音量を増すなどの変化には有効であるが、ギターのボディなどの振動特性に影響されるスペクトルエンベロープの山谷の形状にかかわる音色変化や、撥弦後の「音の伸び」などに係わる音色変化、特に材料特有の響きを持たせるようなギター音の変化を起こさせることは出来ない。つまり、基本的な音色はボディやネックなどの材質で決められ、これが持つ特色による音色までは変更しきれない。
【課題を解決するための手段】
【００１１】
本発明は簡単にして安価に音色を変化できるようにしたものであり、
上側に弦の一端が取付けられたネック部と、前記ネック部が一体的に設けられ下側に前記弦の他端が取付けられたボディ部と、前記ボディ部のくり抜きに昇降自在に設けられ、且つピックアップを有するピックアップ支持台及び前記ピックアップの周囲に着脱自在に設けられたピックガードとよりなるピックアップユニットとを備え、前記ピックガードは異なる音色を発生させる各種の材料で形成されたものを複数枚用意し、演奏時前記ピックガードの任意の一枚をピックアップユニットに装着するエレキギターを提供する。
【００１２】
本発明は前記ピックアップとピックガード間にスペーサを設け、演奏状態で前記ピックアップがピックガードに包囲されたとき、前記スペーサを介して前記ピックガードの振動がピックアップに伝達されるようにしたエレキギターを提供する。
【００１３】
本発明は前記ピックガードが樹脂系又は金属系或いは木材系のいずれか又は組み合わされた材料で形成されたエレキギターを提供する。
【００１４】
本発明は上側に弦の一端が取付けられたネック部と、前記ネック部が一体的に設けられ下側に前記弦の他端が取付けられたボディ部と、前記ボディ部のくり抜きに設けられ、ピックアップ昇降用カムにて昇降自在にされた支持台、前記ピックアップ支持台に取付けられたピックアップ及び前記ピックアップが突出される窓を有し且つ着脱自在に設けられたピックガードとよりなるピックアップユニットとを備え、前記ピックガードは異なる音色を発生させる各種の材料で形成されたものを複数枚用意し、演奏時前記ピックガードの任意の一枚をピックアップユニットに装着するエレキギターを提供する。
【発明の効果】
【００１５】
本発明のエレキギターはボディ部のくり抜きにピックアップ支持台を昇降自在に設け、ピックアップ支持台にピックアップを設け、ピックアップの周囲にピックガードを着脱自在に設け、ピックガードは異なる音色を発生させる各種の材料で形成されたものを複数枚用意し、そのうち一枚のピックガードを装着し演奏するようにし、エレキギターの音色の変化はピックガードの影響により変化するようにできた。
【００１６】
従って、エレキギターの購入者は音色の変化が本体の材質の影響は余り受けないので、ピックガードを選ぶことにより通常普及している廉価なものにして、自分の好みの音色のエレキギターを入手できる。
【００１７】
また、異なる材料で形成された数枚のピックガードを用意しておけば、一台のエレキギターで演奏する曲にあった音色を奏でることができる。
【００１８】
更にはピックアップ支持台を下降させてピックアップガードを交換できるので、ノイズが発生せずアンプの電源を切らずに、演奏途中でもピックガードを交換ことにより、その場その場に適した音色で演奏できる。
【発明を実施するための最良の形態】
【００１９】
本発明を図面を参照して説明する。
【００２０】
図１は本発明のエレギターの斜視図であり、図２は本発明に用いたピックアップユニットの拡大平面図であり、図３は本発明のエレキギターにおいて鉄系の材料で形成したピックガードを用いて撥弦した音の立上がり部のスペクトルエンベロープ図であり、図４は本発明のエレキギターにおいて非鉄系金属材料で形成したピックガードでの音の立上がり部のエンベロープ図であり、図５は本発明のエレキギターにおいて木材で形成したピックガードでの音の立上がり部のエンベロープ図であり、図６は本発明のエレキギターにおいて鋳鉄で形成したピックガードでの音の立上がり後のエンベロープ図であり、図７は本発明のエレキギターにおいて炭素工具鋼で形成したピックガードでの音の立上がり後のエンベロープ図であり、図８は本発明のエレキギターにおいて純鉄で形成したピックガードでの音の立上がり後のエンベロープ図であり、図９は本発明のエレキギターにおいてブラス（真鍮）で形成したピックガードでの音の立上がり後のエンベロープ図であり、図１０は本発明のエレキギターにおいて銅で形成したピックガードでの音の立上がり後のエンベロープ図であり、図１１は本発明のエレキギターにおいて中密度圧縮合板で形成したピックガードでの音の立上がり後のエンベロープ図であり、図１２は本発明のエレキギターにおいてアガチスで形成したピックガードでの音の立上がり後のエンベロープ図であり、図１３は本発明のエレキギターにおいて樫で形成したピックガードでの音の立上がり後のエンベロープ図であり、図１４は本発明のエレキギターの聴取実験評価表であり、図１５は本発明のエレキギターの演奏状態のピックアップユニット部分の横断面図であり、図１６は同じく本発明のエレキギターの演奏状態のピックアップユニット部分の縦断面図であり、図１７は本発明のエレキギターのピックガード交換状態のピックアップユニット部分の横断面図であり、図１８は本発明のエレキギターのピックガード交換状態のピックアップユニット部分の縦断面図であり、図１９は本発明のエレキギターに用いたピックガードの斜視図であり、図２０は本発明のエレキギターピックアップユニット部分の拡大斜視図であり、図２１は本発明のエレキギターに用いたピックアップ支持台の斜視図であり、図２２は本発明のエレキギターに用いたピックアップ支持台を昇降させるカム機構とそれが組み込まれているボディ裏側の空間部の斜視図である。
【００２１】
図１に示すように、本発明のエレキギターは一体にされたネック部２１とボディ部２３とよりなる。ネック部２１の上側からボディ部２３の表側にかけて弦２２が張られている。
【００２２】
ボディ部２３のくり抜きにピックアップユニット２５が設けられている。ピックアップユニット２５はピックアップ２６、２６、２６を有するピックアップ支持台及びピックアップ２６、２６、２６の周囲を包囲するように設けられたピックガード２８とよりなる。ピックアップ支持台は後述するように昇降自在にされている。
【００２３】
図２に示すように、ピックガード２８はピックアップ支持台が昇降することにより、ボディ２３に設けたピックアップ固定用スライドつめ３０、３０、３０に着脱自在にされている。
【００２４】
本発明のエレキギターはピックガード２８の材料を変更することで音色が変化されることに着目し、各種の材料で形成されたピックガード２８を複数枚用意し、演奏時任意の一枚のピックガード２８をピックアップユニットに装着することより音色が変えられるようにしている。
【００２５】
ピックアップ２６、２６、２６がボディ２３よりピックガード２８の影響を大きく受けるようにし、種々の材料でピックガード２８を作成し実験を試みた。 
【００２６】
従来のピックガードはプラスチック製であるが、木材、又金属でピックガード２８を作製した。木材としては「樫」「アガチス」「ＭＤＦ（中密度圧縮合板）」を採用した、金属材料では「銅」「真鍮」「鋳鉄（ＦＣ）」「純鉄（ＳＳ４００）」「炭素工具鋼（ＳＫ５）」を採用し、純正のプラスチックも含め、合計９種類を採用した。本実験で材料を選択する上で注目した特性は、「硬さ」「減衰能」「重さ」の３つである。この特性は物体の振動の様態に影響をする重要な特徴と考えられる。
【００２７】
図３、図４、図５に各材料で形成したピックガード２８の立ち上がり部の高調波成分のピークのみを抽出したスペクトルエンベロープを以下に示す。基本音のレベルを基準０とし、他の高調波成分との電圧のレベル差を縦軸にしている。
【００２８】
図３は鉄系の三種の材料（ＦＣ、ＳＫ５、ＳＳ）、図４は銅系の二種の材料(真鍮,銅)、図５は木材の三種の材料（ＭＤＦ、アガチス、樫）の材料でピックガード２８を形成した場合のスペクトルエンベロープを示している。
【００２９】
ピックガード２８の各材料の立ち上がりでのスペクトルエンベロープを見ると、図３及び図４で示す鉄系、非鉄系と共に金属系のピックガードは比較的高い音域まで高調波が発生している。それに対し、図５に示すように木材のピックガードは高い音域まで高調波が確認できなかったが金属系と比べ全体的に高調波が高いレベルで現れていた。特に、２０００Ｈｚ以上の高音域でスペクトルエンベローブの起伏が激しく特徴あるスペクトルエンベロープを確認できた。高調波は金属、木材共に同属の中で比較的に硬い材料のピックガードにおいて高次の高調波成分まで確認することができた。
【００３０】
図６〜図１３にピックガード２８の特徴ある各材料に対し、撥弦後、1秒、２秒、３秒経過後のスペクトルエンベロープの比較を示す。
【００３１】
ピックガード２８の各材料間の違いを比較した場合、顕著な違いは撥弦後1秒において現れている。内部抵抗の大小が伸び部分の減衰の速さに関係する。つまり、図６〜図１０に示す金属系に比べ、図１１〜図１３に示す木材は撥弦後間のない時間で非常に高い周波数まで高調波を確認することができている。
【００３２】
しかし、２秒後、３秒後と時間が経過するにつれて木材系では高音域のスペクトルの減衰が金属系に比べて早いことが確認できる。また、同系統の材料の中では図６、図７、に示すＦＣ材、ＳＫ５材に比べ、図８に示すＳＳ材が高い音域の減衰が早いことがうかがえる。
【００３３】
また、図９、図１０で示す、銅と真鍮のピックガードでは1秒後のスペクトルエンベロープには大きな違いは無いものの、２秒後から銅のピックガードは高調波が大きく減っている。図１１、図１２及び図１３で示す木材のピックガードにおいても、金属材料のピックガードに比べ豊富な高調波成分が見られたが、材料によって差違がみられた。特に、図１３で示す樫のピックガードでは、一部の周波数成分が早く減衰する特徴がみられる。これらの立ち上がり特性や時間的減衰特性が単音調律や和音などの音質、音色に影響するものと考えられる。
【００３４】
図１４の表に各材料のピックガードに対して行った聴取実験から得られた音質、音色の傾向を示す。 
【００３５】
木材のピックガードは撥弦直後の音の「立ち上がり部」に含まれる高調波が金属材料のピックガードに比べてやや少なかったものの、基本波を基準とした全体のレベルは高かった。また、その多くの高調波成分は約１秒後まで持続することから、高音域まで個々の高調波成分が比較的に長く持続する特徴が木材のピックガードの傾向である。聴取実験では、木材のピックガードの傾向として、金属材のピックガードに比べ「太い音」という項目で評価されていることから、 こうした木材のピックガードと金属材のピックガードに大別して現れたスペクトルエンベロープの特徴が音質・音色の「太い、細い音」という表現に繋がったものと考えられる。
【００３６】
また、「固い音」、「ハッキリした音」という評価語においてはＭＤＦ、樫、ＳＫ5、ＦＣのピックガードが高い評価を受けており、いずれの材料も比較的硬い(堅い)材料である。スペクトルエンベロープの特徴として「立ち上がり部」で比較的高次まで高調波が発生していることと、１５００〜３０００Ｈｚの人間が敏感な音域においてレベルが比較的に高いことが見られる、また逆に比較的柔らかい材料のピックガードにおいては「こもっている音」の評価を受けており、硬さは音色に大きく影響を与えることがわかる。
【００３７】
減衰能については「聞き取りやすい音」、「ハッキリした音」の項目に影響を与えていることが真鍮とＦＣのピックガードの聴取実験から読み取れ、減衰能が低い場合は支持部まで振動を起こし、音の聞き取りやすさに悪影響を及ぼしていることがわかる。 
【００３８】
以上の結果から、エレキギターのボディ部は同一であるにも関わらず、ピックガード２８の材料の差違により、取り出される音質、音色に様々な変化が見られ、ピックアップの支持材料の音色への影響が大きいことが確認できた。以下に得られた結果をまとめる。
【００３９】
１．エレキギターの音色はピックガードの各部材の振動伝搬のフィードバックにより複雑にピックアップに影響を及ぼしており、ボディ部２３の影響は大きいものの、ピックガード２８の振動特性の変化により音色の変更が可能である。
【００４０】
２．大別して木材と金属材で形成されたピックガード２８に特徴が見られた。その特徴として形成された木材のピックガードは、発生する高調波が少ないが、しばらくその高調波を持続させる。また金属材のピックガードで形成されたピックガード２８は発生する高調波が多いが、減衰が早いことが確認できた。アンケート調査では木材で形成されたピックガード２８に「太い音」、金属に「細い音」の項目が高い評価を受け、木材、金属材で形成されたピックガード２８の大きな特徴と言える。
【００４１】
３．木材、金属材料共に硬さ(堅さ)が大きくエレキギターの音色の変化に影響を及ぼしていることが確認できた。また、ピックガード２８の材料特性としての減衰能も、極端に低い真鍮と高いＦＣを比べた場合に影響が確認できることから、同じ系統の材料でも特性の操作を行うことで音色を変化させることが可能である。 
【００４２】
以上のことを考慮し、本発明は上述した種々の材料でピックガード２８を形成し、所有者の好み又は演奏する音楽の曲想に合わせてエレキギターの音色を変更できるようにしたのである。
【００４３】
図１５〜図１８に示すように、ピックアップユニット２５はボディ部２３の中央部にあるくり抜き２４に内設された３組のピックアップ２６、２６、２６が取付けられたピックアップ支持台２７とピックアップ支持台２７の周囲に交換可能に位置されるピックガード２８とよりなる。
【００４４】
ピックアップ２６、２６、２６は３組設けられているが、１組または２組でもよく、切替えて選択的に使われる。
【００４５】
図１９はピックガード２８の斜面図で、ピックアップ２６、２６、２６が突出する窓３３、３３、３３が開けられている。
【００４６】
図２０に示すようにピックガード２８はボディ部２３に設けられたピックアップ固定用つめ３０、３０、３０にて着脱自在にされる。
【００４７】
ピックガード２８は木材としては樫、アガチス、ＭＤＦ（中密度圧縮合板）で形成したもの、金属材料では銅、真鍮、鋳鉄（ＦＣ）、純鉄（ＳＳ４００）、炭素工具鋼（ＳＫ５）で形成したもの、さらに純正のプラスチックも含め、合計９種類の材料で形成したものが交換用として用意されている。
【００４８】
図２１に示すように、ピックアップ支持台２７はボディ部２３と同一材料で形成されており、周囲に数個のスペーサ３４、３４、３４を有する。
【００４９】
図２２はボディ部２３のくり抜き２４の裏面を施蓋する裏蓋３７で、昇降用レバー３８にて回動されピックアップ支持台２７を浮上させるピックアップ昇降用カム３９、３９、３９が設けられている。ピックアップ支持台２７は、連接棒４１、４１、４１、４１により連動されたカム３９，３９，３９が、昇降用レバー３８の操作により動くことにより、裏蓋３７に設けられた軸４０、４０に沿って昇降自在にされている。
【００５０】
図１５及び図１６に本発明のエレキギターの演奏状態を示す。図１５に示すようにピックアップ支持台２７は裏蓋３７の昇降用カム３９、３９、３９が上向きにされており、ばね４２、４２、４２の反発力に抗して押上げられている。従ってピックアップ２６、２６２６はピックガード２８の窓３３、３３、３３から突出し、弦２２に面している。
【００５１】
従って演奏者が奏でることにより弦２２が振動する。弦２２が振動するとピックガード２８も振動する。このときピックガード２８とピックアップ支持台２７とはスペーサ３４、３４、３４で振動的に結合されているので、ボディ２３、ネック２１、ピックガード２８、弦２２の振動が相互に連携して互いに影響し合う。その結果、弦２２の振動はピックアップ２８に磁界変化として伝達するのみでなく、ピックアップ２６の筐体をも振動させ、電気信号出力に影響を与える。
【００５２】
こうして弦の振動はピックアップ２８で電気信号に変換されてアンプに加わる。アンプで増幅された電気信号はスピーカに加わり、スピーカより音声を発生する。
【００５３】
本発明のエレキギターは前述したように、ピックガード２８の材料の交換により音色が変えられる。例えばピックガード２８を真鍮あるいは銅で形成したときにはシャラシャラした音色が演奏される。
【００５４】
ピックガード２８をＦＣ材（鋳鉄）で形成したときにはアコースティックギター的なクリアーな音色、少し冷たい音色が出される。
【００５５】
同様にピックガード２８をＳＫ５（工具鋼）で形成したときにはＦＣ材より更に硬い音色でキンキンした音色を奏でる。
【００５６】
ピックガード２８を柔らかい木材で作ると丸くこもった音色で和音が不明確に響き、硬い木材で形成すると少しはっきりした音色で、和音の一音一音がはっきりとする。
【００５７】
ピックガード２８を一般的に用いられているようにプラスチックで形成すると、ボケた音色となる。
【００５８】
上述したように、ピックガード２８の材料を変えることによりエレキギターの音色を変えられる。従って演奏者あるいは演奏する曲により音色を変えたいとき、ピックガード２８を好みの音色を発生する材料で作られたものと交換すればよい。
【００５９】
図１７及び図１８はピックガード２８を交換する状態を示す横断面図と縦断面図である。裏蓋に設けられている昇降レバー３８を図１５に示す状態から反時計方向に回転させると、図１７に示すようにピックアップ昇降用カム３９、３９、３９は時計方向に回転してそれまでピックアップ支持台２７を持ち上げていたのを解除するため、ピックアップ支持台２７はばね４２の付勢力で下に押下げられ軸４０、４０に沿って降下される。それによりピックアップ２６、２６、２６も降下し、ピックガード２８の窓３３、３３、３３より下方に位置される。
【００６０】
図１７及び図１８に示すように、それまでピックガード２８の窓３３、３３、３３から突出していたピックアップ２６、２６、２６は降下し、窓３３、３３、３３より下方に位置される。この状態でピックガード２８を矢印方向に引き抜く。
【００６１】
図１９に示すように、ピックアップ固定用つめ３０、３０、３０を反矢印方向にスライドさせてピックガード２８の固定を緩め矢印方向に引き抜くと、ピックガード２８は取外すことができる。
【００６２】
次に交換する別のピックガード２８を持ってきて、今度は反矢印方向に滑りこませ、新たなピックガード２８をピックアップ固定用スライドつめ３０、３０、３０に嵌合させ、上側のピックアップ固定用つめ３０、３０、３０を矢印方向にスライドさせて固定する。しかる後、昇降レバー３８を時計方向に回転させると、ピックアップ昇降用カム３９、３９、３９は反時計方向に回転され、ピックアップ支持台２７を浮上させる。
【００６３】
すると、図１５及び図１６に示すように、ピックアップ２６、２６、２６は再びピックガード２８の窓３３、３３、３３から突出し、ピックアップ２６、２６、２６は弦２２に近接する。従って前述と同様に、演奏者が奏でることにより弦２２が振動すると新たなピックガード２８も振動する。ピックガード２８は前と異なった振動し、弦２２とピックガード２８の振動が影響し合う。弦２２の振動はピックアップ２６、２６、２６に伝達し振動する。
【００６４】
振動はピックアップ２６、２６、２６で電気信号に変換されてアンプに加わる。アンプで増幅された電気信号はスピーカに加わり、スピーカより音声を発生する。
【図面の簡単な説明】
【００６５】
【図１】本発明のエレギターの斜視図である。
【図２】本発明に用いたピックアップユニットの拡大平面図である。
【図３】本発明のエレキギターにおいて鉄系の材料で形成したピックガードを用いて撥弦した音の立上がり部のスペクトルエンベロープ図である。
【図４】本発明のエレキギターにおいて非鉄系金属材料で形成したピックガードを用いて撥弦した音の立上がり部のスペクトルエンベロープ図である。
【図５】本発明のエレキギターにおいて木材で形成したピックガードを用いて撥弦した音の立上がり部のスペクトルエンベロープ図である。
【図６】本発明のエレキギターにおいて鋳鉄で形成したピックガードを用いて撥弦した音の立上がり後のスペクトルエンベロープ図である。
【図７】本発明のエレキギターにおいて炭素工具鋼で形成したピックガードを用いて撥弦した音の立上がり後のスペクトルエンベロープ図である。
【図８】本発明のエレキギターにおいて純鉄で形成したピックガードを用いて撥弦した音の立上がり後のスペクトルエンベロープ図である。
【図９】本発明のエレキギターにおいてブラスで形成したピックガードを用いて撥弦した音の立上がり後のスペクトルエンベロープ図である。
【図１０】本発明のエレキギターにおいて銅で形成したピックガードを用いて撥弦した音の立上がり後のスペクトルエンベロープ図である。
【図１１】本発明のエレキギターにおいて中密度圧縮合板で形成したピックガードを用いて撥弦した音の立上がり後のスペクトルエンベロープ図である。
【図１２】本発明のエレキギターにおいてアガチスで形成したピックガードを用いて撥弦した音の立上がり後のスペクトルエンベロープ図である。
【図１３】本発明のエレキギターにおいて樫で形成したピックガードを用いて撥弦した音の立上がり後のスペクトルエンベロープ図である。
【図１４】本発明のエレキギターにおいてピックガードに各種材料を用いた聴取実験評価表である。
【図１５】本発明のエレキギターの演奏状態のピックアップユニット部分の横断面図である。
【図１６】本発明のエレキギターの演奏状態のピックアップユニット部分の縦断面図である。
【図１７】本発明のエレキギターのピックガード交換状態のピックアップユニット部分の横断面図である。
【図１８】本発明のエレキギターのピックガード交換状態のピックアップユニット部分の縦断面図、
【図１９】本発明のエレキギターに用いたピックガードの斜視図である。
【図２０】本発明のエレキギターピックアップユニット部分の拡大斜視図である。
【図２１】本発明のエレキギターに用いたピックアップ支持台の斜視図である。
【図２２】本発明のエレキギターに用いたピッ裏蓋の斜視図である。
【図２３】従来のエレキギターの斜視図である。
【符号の説明】
【００６６】
２１        ネック部
２２        弦
２３        ボディ部
２４        くり抜き
２５        ピックアップユニット
２６        ピックアップ
２７        ピックアップ支持台
２８        ピックガード
３０        ピックアップ固定用つめ
３３        窓
３４        スペーサ
３７        裏蓋
３８        ピックアップ昇降用カム
３９        昇降用レバー
４０        軸
４１        連接棒
４２        ばね
【図１】
2009222843.tif 000003
【図２】
2009222843.tif 000004
【図３】
2009222843.tif 000005
【図４】
2009222843.tif 000006
【図５】
2009222843.tif 000007
【図６】
2009222843.tif 000008
【図７】
2009222843.tif 000009
【図８】
2009222843.tif 000010
【図９】
2009222843.tif 000011
【図１０】
2009222843.tif 000012
【図１１】
2009222843.tif 000013
【図１２】
2009222843.tif 000014
【図１３】
2009222843.tif 000015
【図１４】
2009222843.tif 000016
【図１５】
2009222843.tif 000017
【図１６】
2009222843.tif 000018
【図１７】
2009222843.tif 000019
【図１８】
2009222843.tif 000020
【図１９】
2009222843.tif 000021
【図２０】
2009222843.tif 000022
【図２１】
2009222843.tif 000023
【図２２】
2009222843.tif 000024
【図２３】
2009222843.tif 000025